(57)【特許請求の範囲】
【請求項１】
少なくともクレジット取引の取引データ、クレジット取引時の使用代金に応じたサービスのためのポイント数データ、および、そのポイント数データの表示方法を識別するための識別情報を対応させて記憶しているＩＣカードを受入れる受入手段と、
この受入手段で受入れた前記ＩＣカードから前記取引データを読出す第１の読出手段と、
前記受入手段で受入れた前記ＩＣカードから前記ポイント数データおよび識別情報を読出す第２の読出手段と、
前記第１の読出手段あるいは前記第２の読出手段のいずれか一方を選択する選択手段と、
この選択手段で前記第１の読出手段が選択された場合、前記第１の読出手段で読出された前記取引データを表示する第１の表示手段と、
前記選択手段で前記第２の読出手段が選択された場合、前記第２の読出手段で読出された識別情報に基づき、前記第２の読出手段で読出された前記ポイント数データをそのまま表示する第１の表示モードにするか、前記第２の読出手段で読出された前記ポイント数データを特定のキャラクタに変換して表示する第２の表示モードにするかを識別する識別手段と、
この識別手段の識別結果が第１の表示モードのときは、前記第２の読出手段で読出された前記ポイント数データをそのまま表示し、前記識別手段の識別結果が第２の表示モードのときは、前記第２の読出手段で読出された前記ポイント数データを特定のキャラクタに変換して表示する表示手段と、
を具備したことを特徴とするＩＣカード用携帯端末装置。
【発明の詳細な説明】
【０００１】
【発明の属する技術分野】
本発明は、たとえば、クレジットカードや電子マネーなどとして用いられるＩＣカードから、各種取引データやサービスのためのポイント数などを選択的に読出して表示するＩＣカード用携帯端末装置に関する。
【０００２】
【従来の技術】
最近、携帯可能記憶媒体として、不揮発性メモリ、および、これらを制御するＣＰＵ（セントラル・プロセッシング・ユニット）などの制御素子を有するＩＣチップを内蔵したＩＣカードが産業各方面で利用され始めている。
【０００３】
この種のＩＣカードを、たとえば、クレジットカードや電子マネーなどとして用いた場合、内部に記憶されている各種取引データやサービスのためのポイント数などを必要に応じて読出して、表示できれば非常に便利である。
【０００４】
そこで、最近、このような目的のために、利用者が常に携帯可能なＩＣカード用携帯端末装置が開発されている。このＩＣカード用携帯端末装置は、ＩＣカードと同様なカード状に形成されていて、キーボード、液晶表示部、および、自己動作用とＩＣカードに供給する電源用としての電池を備えており、ＩＣカードが挿入されると、キーボードの操作に応じて、ＩＣカードから各種取引データやポイント数データなどを選択的に読出し、液晶表示部に表示するようになっている。
【０００５】
【発明が解決しようとする課題】
ところが、従来のＩＣカード用携帯端末装置にあっては、各種取引データもしくはポイント数を読出して表示する以外の機能を具備しておらず、利用者が各種取引データもしくはポイント数を確認する場合を除いては携帯しておく意義がないという問題があった。
【０００６】
また、従来のＩＣカード用携帯端末装置にあっては、前述のように、各種取引データもしくはポイント数を読出して表示するのみであるので、各種取引データもしくはポイント数の結果の如何によってＩＣカード用携帯端末装置にプレミアムを与えたり、娯楽性を提供することが困難となっていた。
【０００７】
そこで、本発明は、たとえば、ＩＣカードに記憶されているポイント数に応じてキャラクタを育成するシュミレーションゲームなどの娯楽性を提供することができるＩＣカード用携帯端末装置を提供することを目的とする。
【０００８】
【課題を解決するための手段】
本発明のＩＣカード用携帯端末装置は、少なくともクレジット取引の取引データ、クレジット取引時の使用代金に応じたサービスのためのポイント数データ、および、そのポイント数データの表示方法を識別するための識別情報を対応させて記憶しているＩＣカードを受入れる受入手段と、この受入手段で受入れた前記ＩＣカードから前記取引データを読出す第１の読出手段と、前記受入手段で受入れた前記ＩＣカードから前記ポイント数データおよび識別情報を読出す第２の読出手段と、前記第１の読出手段あるいは前記第２の読出手段のいずれか一方を選択する選択手段と、この選択手段で前記第１の読出手段が選択された場合、前記第１の読出手段で読出された前記取引データを表示する第１の表示手段と、前記選択手段で前記第２の読出手段が選択された場合、前記第２の読出手段で読出された識別情報に基づき、前記第２の読出手段で読出された前記ポイント数データをそのまま表示する第１の表示モードにするか、前記第２の読出手段で読出された前記ポイント数データを特定のキャラクタに変換して表示する第２の表示モードにするかを識別する識別手段と、この識別手段の識別結果が第１の表示モードのときは、前記第２の読出手段で読出された前記ポイント数データをそのまま表示し、前記識別手段の識別結果が第２の表示モードのときは、前記第２の読出手段で読出された前記ポイント数データを特定のキャラクタに変換して表示する表示手段とを具備している。
【００１５】
本発明によれば、たとえば、受入れたＩＣカードからそれに記憶されているポイント数データを読出し、この読出したポイント数データの値に応じて特定のキャラクタ（パターンデータ）を表示することにより、たとえば、ＩＣカードに記憶されているポイント数に応じて、キャラクタを育成するシュミレーションゲームなどの娯楽性を提供することができる。
【００１６】
また、表示するキャラクタは、ＩＣカードから読出したポイント数データを変換するため、カード内に特別なデータを記憶しなくて済み、メモリ効率がよくなる。また、キャラクタからビットイメージデータに変換するため、データ量の多いキャラクタは最小限のメモリで記憶できる。
【００１７】
さらに、ＩＣカードにポイント数データとともに記憶されている識別情報により、キャラクタ表示を行なうかダイレクト表示を行なうかを指定できるため、ＩＣカード用携帯端末装置を共通にして２種のモードに対応できる。
【００１８】
【発明の実施の形態】
以下、本発明の実施の形態について図面を参照して説明する。
図１は、本発明に係るＩＣカード用携帯端末装置が適用されるクレジットシステムの構成を概略的に示している。すなわち、たとえば、クレジット取引で所望の商品購入を行なうと、店員が商店に設置されたＩＣカードリーダライタ３１によって、商品購入者が所持するＩＣカード８内のメモリに、そのクレジット取引の取引データとともに、使用代金に応じたサービスのためのポイント数データ（可変値データ）を記憶（登録）する。この場合、ポイント数データは、必ずしも取引データとともに同時に登録する必要はなく、取引データを記憶した後の任意時に登録してもよい。
【００１９】
なお、ＩＣカードリーダライタ３１は、たとえば、クレジット会社のホストコンピュータ３２に通信回線を介して接続されている。
さて、このように取引データおよびポイント数データが記憶されたＩＣカード８を、商品購入者が所持するＩＣカード用携帯端末装置１に挿入し、所定の操作を行なうことにとより、ＩＣカード８からポイント数データが読出され、そのポイント数データの値に応じてキャラクタなどが表示されるようになっている。
【００２０】
図２は、図１で示したＩＣカード用携帯端末装置１の外観を概略的に示すものである。すなわち、ＩＣカード用携帯端末装置１は、たとえば、いわゆるポケットベルのような形状に形成されていて、その表面には、各種データを表示する表示手段としての液晶表示部２、アップ方向の選択キー３ａおよびダウン方向の選択キー３ｂ、エンターキー（確定キー）４、次の表示画面に進むときなどに押下するエグジットキー５などが設けられている。
【００２１】
ここに、選択キー３ａ，３ｂは、パスワードデータの入力時に用いるとともに、表示部２に表示されるカーソル６，７を移動させることにより、アプリケーションを選択したり、読出すデータを選択するようになっている。
【００２２】
また、ＩＣカード用携帯端末装置１の一側面（長手方向の側面）には、ＩＣカード８を挿入セットするためのカード挿入部（図示しない）が設けられている。ＩＣカード８は、たとえば、クレジット機能、ポイント登録機能などの複数のアプリケーションをサポートしており、図３に示すように、その一表面の所定部位に、ＩＣカード用携帯端末装置１のインタフェイス部（図示しない）と電気的に接続されるコンタクト部９が設けられていて、そのコンタクト部９の部分を先端にして図示矢印方向に挿入される。この場合、ＩＣカード８は、図２に示すように、コンタクト部９の部分を含む所定の領域が挿入された状態にセットされるようになっている。
【００２３】
なお、図２において、符号１０は紐などを結ぶためのフックである。
図４は、ＩＣカード用携帯端末装置１の構成を概略的に示すものである。すなわち、全体的な制御を司る制御部１１は、たとえば、ＣＰＵなどを主体に構成されている。制御部１１には、制御プログラムなどを記憶するＲＯＭ（リード・オンリ・メモリ）１２、ワークメモリに使用する記憶手段としてのＲＡＭ（ランダム・アクセス・メモリ）１３、前記表示部２を駆動制御する表示駆動回路１４、ＩＣカード駆動用電圧変換回路１５、および、前記選択キー３ａ，３ｂ、エンターキー４、エグジットキー５などの各種キー１６がそれぞれ接続されている。
【００２４】
電圧変換回路１５には、コンタクト部９を介してＩＣカード８と信号の授受を行なうＩＣカードインタフェイス（Ｉ／Ｆ）部１７、および、電源部としての電池１８がそれぞれ接続されている。電池１８としては、この例では出力電圧が例えば３ボルト（Ｖ）のものを用いている。
【００２５】
図５は、ＲＯＭ１２に格納されている第１のテーブルデータを示している。この第１のテーブルデータは、ポイント数データとこれに対応するキャラクタ（パターン）とを対応させてテーブルデータとしてＲＯＭ１２に格納されている。
【００２６】
図６は、ＲＯＭ１２に格納されている第２のテーブルデータを示している。この第２のテーブルデータは、キャラクタ（パターン）とこれに対応するビットイメージデータとを対応させてテーブルデータとしてＲＯＭ１２に格納されている。
【００２７】
図７は、ＩＣカード８の構成を概略的に示すものである。すなわち、ＩＣカード８は、前記コンタクト部９、および、ＩＣチップ２１から構成されている。ＩＣチップ２１は、制御素子としてのＣＰＵ２２、ＣＰＵ２２の制御プログラムを記憶するＲＯＭ２３、ワークメモリとしてのＲＡＭ２４、および、データ記憶用の不揮発性メモリとしてのＥＥＰＲＯＭ２５などから構成されている。
【００２８】
次に、上記のような構成において、図８に示すフローチャートを参照しつつ、ＩＣカード８に対してポイント数データを記憶（登録）する処理動作について説明する。まず、ＩＣカード８をＩＣカードリーダライタ３１に挿入セットすると（Ｓ１）、挿入されたＩＣカード８は活性化され（Ｓ２）、ＩＣカード８のＥＥＰＲＯＭ２５から前回までのポイント数データが読出され、ＲＡＭ２４に一時格納される（Ｓ３）。
【００２９】
次に、ＩＣカードリーダライタ３１のキーボード（図示しない）から、今回のポイント数データを入力することにより（Ｓ４）、この入力されたポイント数データがＲＡＭ２４内の前回までのポイント数データに加算される（Ｓ５）。そして、この加算結果が新たなポイント数データとしてＩＣカード８のＥＥＰＲＯＭ２５に記憶され（Ｓ６）、ＩＣカード８は非活性化され（Ｓ７）、ＩＣカード８は排出される（Ｓ８）。
【００３０】
ここで、具体例をあげて説明する。ＩＣカード８に書込む（記憶する）可変値データ、すなわち、ポイント数データは、クレジット取引の使用代金に対応している。たとえば、２０００円が２０ポイント、５００円が５ポイント、１０円が０．１ポイントとする。また、今回はクレジット取引にて、３５５０円の買い物をしたとする。
【００３１】
まず、始めに、ＩＣカード８を活性化し、次に、前回までのポイント数データ（たとえば、２０ポイントであったとする）の読出しを行なう。次に、今回のポイント数データ（３５．５ポイント）を入力し、この入力したポイント数データをＩＣカード８から読出した前回までのポイント数データに加算する。そして、この加算結果を新たなポイント数データとしてＩＣカード８のＥＥＰＲＯＭ２５に記憶する。こうして、ＩＣカード８に対するポイント数データの登録が終了すると、ＩＣカード８を非活性化して排出する。
【００３２】
次に、図９に示すフローチャートを参照しつつ、ＩＣカード８からデータを読出す処理動作について説明する。ＩＣカード８のデータを読出す場合、図２に示すように、ＩＣカード８をカード挿入部から挿入し、規定の位置にセットする（Ｓ１１）。
【００３３】
こうして、ＩＣカード８を規定の位置に挿入セットすると、内部に設けられた機械的な電源スイッチ（図示しない）がオン状態となるようになっていて（Ｓ１２）、これにより、本ＩＣカード用携帯端末装置１は電源オン状態となる。
【００３４】
電源オン状態になると、制御部１１は、表示部２に読出データ選択用のメニュー画面を表示する（Ｓ１３）。利用者は、このメニュー画面において読出データを選択する（Ｓ１４）。この場合、ポイント数データの読出しを選択する。なお、取引データの読出しを選択した場合、取引データの読出し処理に進む。
【００３５】
こうして読出データが選択されると、制御部１１は、ＩＣカード８を活性化し（Ｓ１５）、ＩＣカード８のＥＥＰＲＯＭ２５からポイント数データを読出し、ＲＡＭ２４に一時格納される（Ｓ１６）。このとき、読出されるポイント数データには、図１０に示すように、そのポイント数データの表示方法（ポイント数データをそのまま表示するか、ポイント数データを特定のキャラクタに変換して表示するか）を識別するための識別情報が付加されている。この識別情報は、クレジット会社とカード所有者との間であらかじめ決定されるもので、たとえば、ポイント数データを特定のキャラクタに変換して表示する場合は特定のコードとし、ポイント数データをそのまま表示する場合は上記特定のコード以外のコードに設定される。
【００３６】
こうしてポイント数データが読出されると、制御部１１は、そのポイント数データに付加されている識別情報を参照することにより、識別情報が特定のコードか否かをチェックし（Ｓ１７）、特定のコードであれば、図５に示した第１のテーブルデータを参照することにより、ＩＣカード８から読出したポイント数データを対応する特定のキャラクタに変換する（Ｓ１８）。
【００３７】
次に、制御部１１は、図６に示した第２のテーブルデータを参照することにより、ステップＳ１８で変換した特定のキャラクタを対応するビットイメージデータに変換し（Ｓ１９）、ＩＣカード８を非活性化する（Ｓ２０）。
【００３８】
次に、制御部１１は、ステップＳ１８で変換した特定のキャラクタのビットイメージデータを表示部２に表示する（Ｓ２１）。その表示例を図１１（ａ）および（ｂ）に示す。そして、ＩＣカード８がＩＣカード用携帯端末装置１から引き抜かれると（Ｓ２２）、電源スイッチがオフ状態となり、本ＩＣカード用携帯端末装置１は電源オフ状態となる（Ｓ２３）。電源スイッチがオフ状態になり、電源が遮断されることにより、表示部２は消灯状態となる。
【００３９】
なお、ステップＳ１７において、識別情報が特定のコード以外のコードであれば、ステップＳ１８，Ｓ１９をジャンプしてステップＳ２０に進み、上記同様な動作を繰り返す。すなわち、識別情報が特定のコード以外のコードの場合、ＩＣカード８から読出したポイント数データをそのままダイレクトに表示するものである。その表示例を図１１（ｃ）に示す。
【００４０】
以上説明したように上記実施の形態によれば、受入れたＩＣカードからそれに記憶されているポイント数データを読出し、この読出したポイント数データの値に応じて特定のキャラクタ（パターンデータ）を表示することにより、たとえば、ＩＣカードに記憶されているポイント数に応じて、キャラクタを育成するシュミレーションゲームなどの娯楽性を提供することができる。
【００４１】
また、表示するキャラクタは、ＩＣカード用携帯端末装置内のテーブルデータで、ＩＣカードから読出したポイント数データをパターンデータに変換するため、カード内に特別なデータを記憶しなくて済み、メモリ効率がよくなる。また、パターンデータからビットイメージデータに変換するため、データ量の多いパターンデータは最小限のメモリで記憶できる。
【００４２】
さらに、ＩＣカードにポイント数データとともに記憶されている識別情報により、キャラクタ表示を行なうかダイレクト表示を行なうかを指定できるため、ＩＣカード用携帯端末装置を共通にして２種のモードに対応できる。
【００４３】
【発明の効果】
以上詳述したように本発明によれば、たとえば、ＩＣカードに記憶されているポイント数に応じてキャラクタを育成するシュミレーションゲームなどの娯楽性を提供することができるＩＣカード用携帯端末装置を提供できる。
【図面の簡単な説明】
【図１】本発明の実施の形態に係るＩＣカード用携帯端末装置が適用されるクレジットシステムの構成を概略的に示すブロック図。
【図２】本発明の実施の形態に係るＩＣカード用携帯端末装置の外観を概略的に示す平面図。
【図３】ＩＣカードの外観を概略的に示す斜視図。
【図４】ＩＣカード用携帯端末装置の構成を概略的に示すブロック図。
【図５】第１のテーブルデータの構成を説明する図。
【図６】第２のテーブルデータの構成を説明する図。
【図７】ＩＣカードの構成を概略的に示すブロック図。
【図８】ＩＣカードに対してポイント数データを記憶する処理動作を説明するフローチャート。
【図９】ＩＣカードからデータを読出す処理動作を説明するフローチャート。
【図１０】ＩＣカードからの読出しデータのフォーマットを示す図。
【図１１】ＩＣカードから読出したポイント数データの表示例を示す図。
【符号の説明】
１……ＩＣカード用携帯端末装置、２……液晶表示部（表示手段）、３ａ，３ｂ……選択キー、４……エンターキー、８……ＩＣカード、９……コンタクト部、１１……制御部、１２……ＲＯＭ（記憶手段）、１３……ＲＡＭ（記憶手段）、１４……表示駆動回路、１７……ＩＣカードＩ／Ｆ部、１８……電池（電源部）、２１……ＩＣチップ、２２……ＣＰＵ（制御素子）、２３……ＲＯＭ、２４……ＲＡＭ、２５……ＥＥＰＲＯＭ（記憶手段）、３１……ＩＣカードリーダライタ、３２……ホストコンピュータ。
【図１】
0003980744.tif 000002
【図２】
0003980744.tif 000003
【図３】
0003980744.tif 000004
【図４】
0003980744.tif 000005
【図５】
0003980744.tif 000006
【図６】
0003980744.tif 000007
【図７】
0003980744.tif 000008
【図８】
0003980744.tif 000009
【図９】
0003980744.tif 000010
【図１０】
0003980744.tif 000011
【図１１】
0003980744.tif 000012